(57)【要約】      （修正有）【課題】高トルクを出力可能なラチェットレンチを提供する。【解決手段】レンチグリップ１１とレンチヘッド１２からなり、レンチヘッドの設置部の後端に、連通する収納槽１５が設けられ、また、収納槽内において、下方へ向かうアパーチャ１６が開口され、前記アパーチャの底部に、やや広い幅を有する凹槽が形成され、また、前記アパーチャ内に、スペーシング装置３０を実装する。前記スペーシング装置は、下方へ伸びる柱状体を有する当接ブロックがあり、柱状体の中間部に、凹槽が形成され、凹槽に、バネが設置され、バネの外端に、キャップが設置され、そして、上記凹槽の下方にある柱状体に、鋼球が嵌設され、鋼球の下方にある柱状体に、リング状溝が形成され、また、リング状溝内にＣ型リングが結合される。【選択図】図２
0003166760.tif 000002
【実用新案登録請求の範囲】
【請求項１】
レンチグリップとレンチヘッドからなり、該レンチヘッドにスペーシング装置を設けてなるラチェットレンチであって、
前記レンチヘッドの先端に、Ｄヘッドを設置するための設置部とラチェット孔が設けられ、設置部の後端に、連通する収納槽が設けられ、また、収納槽内において、下方へ向かうアパーチャが開口され、前記アパーチャの底部に、やや広い幅を有する凹槽が形成され、
前記スペーシング装置が、レンチヘッドのアパーチャ内に実装され、下方へ伸びる柱状体を有する当接ブロックからなり、柱状体の中間部に、凹槽が形成され、凹槽に、バネが設置され、バネの外端に、キャップが設置され、前記キャップが、バネによって外方へ対して付勢されることにより、前記柱状体がアパーチャの内壁に緊密に当接する状態にあり、また、キャップの下方にある柱状体に、更に、リング状溝が形成され、リング状溝内に、Ｃ型リング装置が結合され、前記Ｃ型リングの直径が、アパーチャの直径よりも大きく、凹槽とリング状溝との間にある柱状体に、鋼球が嵌設され、
前記Ｄヘッドが、レンチヘッドの設置部とラチェット孔に実装され、そのカバーの外縁に、アレイに欠け口部が設置され、欠け口部と収納槽とが連通される空間が、スペーシング装置の当接ブロックの定位空間になる
ことを特徴とするラチェットレンチ。
【考案の詳細な説明】
【技術分野】
【０００１】
本考案は、ラチェットレンチに関するものであり、さらに詳しくは、ラチェットのＤヘッドの回転の制御に対してスペーシング装置を増設してなるラチェットレンチに関するものである。
【背景技術】
【０００２】
既存の、一般のラチェット式ボックスレンチを使用してナット又はボルトを締める場合及び緩める場合、ラチェットレンチの一方向に回転する特性を利用して、その操作において、絶えず、手の姿勢を変更すること又は絶えず、改めてナットやボルトに合わせることを必要としないが、ラチェットレンチの回転が、Ｄヘッド内のラチェットだけで制動される構造であるため、出力可能なトルクが、固定式ボックスレンチよりも小さいという問題がある。
【０００３】
しかしながら、一方、固定式ボックスレンチは、絶えず、改めてナット（ボルト）に合わせるため、手の姿勢を変えなければならなく、実用上、利便性に欠けるという問題点がある。
【０００４】
かかる状況下において、公開２００９−２５５２６９号公報（以下、「特許文献１」という。）には、止め金具にラチェットギアが噛合する構造が記載されているが、ラチェットレンチ全体として構造上、利便性が十分ではない。
【特許文献１】特開２００９−２５５２６９号公報
【考案の開示】
【考案が解決しようとする課題】
【０００５】
従って、本考案の課題は、レンチヘッドに実装され、Ｄヘッドとの対応する構造により、ラチェットレンチのＤヘッドが、回転又はスペーシングの状態に切り替えられ、より大きいトルクを出力でき、また、一方向に回転する効果が得られ、実用性に優れたラチェットレンチを提供することにある。
【課題を解決するための手段】
【０００６】
そこで、本考案者は、前記の本考案の課題を解決するために鋭意検討を重ねた結果、Ｄヘッドと隣接してレンチヘッドにスペーシング装置を設けることにより前記課題を解決できることに着目し、かかる知見に基いて本考案に想到するに至った。
【０００７】
かくして、本考案によれば、
レンチグリップとレンチヘッドからなり、該レンチヘッドにスペーシング装置を設けてなるラチェットレンチであって、
前記レンチヘッドの先端に、Ｄヘッドを設置するための設置部とラチェット孔が設けられ、設置部の後端に、連通する収納槽が設けられ、また、収納槽内において、下方へ向かうアパーチャが開口され、前記アパーチャの底部に、やや広い幅を有する凹槽が形成され、
前記スペーシング装置が、レンチヘッドのアパーチャ内に実装され、下方へ伸びる柱状体を有する当接ブロックからなり、柱状体の中間部に、凹槽が形成され、凹槽に、バネが設置され、バネの外端に、キャップが設置され、前記キャップが、バネによって外方へ対して付勢されることにより、前記柱状体がアパーチャの内壁に緊密に当接する状態にあり、また、キャップの下方にある柱状体に、更に、リング状溝が形成され、リング状溝内に、Ｃ型リング装置が結合され、前記Ｃ型リングの直径が、アパーチャの直径よりも大きく、凹槽とリング状溝との間にある柱状体に、鋼球が嵌設され、
前記Ｄヘッドが、レンチヘッドの設置部とラチェット孔に実装され、そのカバーの外縁に、アレイに欠け口部が設置され、欠け口部と収納槽とが連通される空間が、スペーシング装置の当接ブロックの定位空間になる
ことを特徴とするラチェットレンチが提供される。
【考案の効果】
【０００８】
本考案に係るラチェットレンチは、前記の構成からなり、容易な操作により、大きなトルクを出力することができる。
【考案を実施するための最良の形態】
【０００９】
以下、図面を参照しながら、本考案の特徴や技術内容について、詳しく説明するが、それらの図面等は、参考や説明のためであり、本考案は、それらによって限定されるものではない。
【００１０】
図１乃至図４を参照する。同図に示すように、本考案に係るラチェットレンチ１０は、主として、レンチグリップ１１とレンチヘッド１２からなり、レンチヘッド１２の先端に、Ｄヘッド２０を設置するための設置部１３とラチェット孔１４が設けられる。設置部１３の後端に、連通する収納槽１５が設けられ、また、収納槽１５内において、下方へ向かうアパーチャ１６が開口され、上記アパーチャ１６の底部に、やや広い幅を有する凹溝１７が形成される。また、上記アパーチャ１６内に、スペーシング装置３０が収納されている。
【００１１】
上記スペーシング装置３０は、主として、下方へ伸びる柱状体３２を有する当接ブロック３１からなり、柱状体３２の中間部に、凹槽３３が形成され、凹槽３３に、バネ３４が設置される。また、バネ３４の外端に、柱状キャップ３５が設置される。上記凹槽３３の下方部分の柱状体３２に、鋼球３６が嵌設される。そして、鋼球３６の下方部分の柱状体３２に、更に、リング状溝３７が形成される。リング状溝３７内には、Ｃ型リング３８装置が結合される。
【００１２】
また、上記Ｄヘッド２０のカバー２１の外縁に、アレイに欠け口部２２が設置され、上記欠け口部２２と収納槽１５とが連通される空間が、スペーシング装置３０当接ブロック３１の定位空間とされている。
【００１３】
上記スペーシング装置３０は、アパーチャ１６内において、上記キャップ３５が、バネ３４によって外方へ付勢されることにより、アパーチャ１６の内壁に緊密に当接する状態にあり、また、上記鋼球３６により、スペーシング装置３０の定位が強化され、また、下方のＣ型リング３８の直径が、アパーチャ１６よりも大きいため、スペーシング装置３０の脱離を防止できる。そのため、図１と図４のように、上記スペーシング装置３０は、下方へ押される状態になって、上記当接ブロック３１が、収納槽１５と欠け口部２２により形成された空間に定位し固定されるため、Ｄヘッド２０の回転を制限できる効果が得られ、これにより、より大きいトルクを出力することができる。
【００１４】
また、図５と図６のように、前記スペーシング装置３０は、当接ブロック３１を持ち上げることにより、収納槽１５と欠け口部２２とから形成された空間から脱離し、この時、Ｄヘッド２０のカバー２１が、解放状態になって、正常に、ラチェットレンチの回転機能を発揮することができる。
【００１５】
以上は、本考案のより良い実施例であり、本考案は、それらによって限定されることが無く、本考案に係わる考案登録請求の範囲や明細書の内容に基づいて行った等価の変更や修正は、全てが、本考案の考案登録請求の範囲内に含まれる。
【図面の簡単な説明】
【００１６】
【図１】本考案の一実施形態によるラチェットレンチの斜視図である。
【図２】本考案の一実施形態によるラチェットレンチのスペーシング構造の分解斜視図である。
【図３】本考案の一実施形態によるラチェットレンチのスペーシング装置の分解概念図である。
【図４】本考案の一実施形態によるラチェットレンチのスペーシング状態の断面概念図である。
【図５】本考案の一実施形態によるラチェットレンチの解放状態の立体概念図である。
【図６】本考案の一実施形態によるラチェットレンチの解放状態の断面概念図である。
【符号の説明】
【００１７】
１０  ラチェットレンチ
１１  レンチグリップ
１２  レンチヘッド
１３  設置部
１４  ラチェット部
１５  収納槽
１６  アパーチャ
１７  凹槽
２０  Ｄヘッド
２１  カバー
２２  欠け口部
３０  スペーシング装置
３１  当接ブロック
３２  柱状体
３３  凹槽
３４  バネ
３５  キャップ柱
３６  鋼球
３７  リング状溝
３８  Ｃ型リング
【図１】
0003166760.tif 000003
【図２】
0003166760.tif 000004
【図３】
0003166760.tif 000005
【図４】
0003166760.tif 000006
【図５】
0003166760.tif 000007
【図６】
0003166760.tif 000008